(57)【要約】【課題】切り出し時間帯を複数回設定し、各切り出し時間帯ごとに手書きストロークを適切に表示させる。【解決手段】電子ペンシステムでは、記入者は、電子ペンによって記入用紙に手書きストロークを記入し、電子ペンは、記入用紙に印刷されたコード化パターンを読み取り、手書きストロークに関する記入情報を生成する。端末装置は、電子ペンから記入情報を受信して処理を行う。具体的には、端末装置では、切り出し時間帯設定手段は、記入者によって記入用紙に記入された手書きストロークの中で表示すべき手書きストロークを切り出すための切り出し時間帯を、複数回設定する。そして、ストローク表示手段は、切り出し時間帯設定手段によって複数回設定された切り出し時間帯の中で、操作者によって選択された回に設定された切り出し時間帯内に記入された手書きストロークを表示する。【選択図】図１２
2013025682.tif 000002
【特許請求の範囲】
【請求項１】
コード化パターンを読み取り、前記コード化パターンに応じた記入情報を生成する電子ペンと、
前記電子ペンにより読み取り可能なコード化パターンが印刷され、記入者が前記電子ペンによって手書きストロークを記入する記入用紙と、
前記電子ペンから前記記入情報を受信して、当該記入情報に応じた処理を行う端末装置と、を備える電子ペンシステムであって、
前記端末装置は、
記入者によって前記記入用紙に記入された手書きストロークの中で表示すべき手書きストロークを切り出すための切り出し時間帯を、複数回設定する切り出し時間帯設定手段と、
前記切り出し時間帯設定手段によって複数回設定された切り出し時間帯の中で、選択された回に設定された切り出し時間帯内に記入された手書きストロークを表示するストローク表示手段と、を備えることを特徴とする電子ペンシステム。
【請求項２】
前記切り出し時間帯設定手段は、
前記切り出し時間帯の開始時刻を設定するための開始ボタン、及び前記切り出し時間帯の終了時刻を設定するための終了ボタンを表示し、
前記開始ボタンが選択された時刻から前記終了ボタンが選択された時刻までの時間帯を、前記切り出し時間帯として設定することを特徴とする請求項１に記載の電子ペンシステム。
【請求項３】
前記切り出し時間帯設定手段は、
前記切り出し時間帯の開始時刻を入力するための開始時刻入力欄、及び前記切り出し時間帯の終了時刻を入力するための終了時刻入力欄を表示し、
前記開始時刻入力欄に入力された時刻から前記終了時刻入力欄に入力された時刻までの時間帯を、前記切り出し時間帯として設定することを特徴とする請求項１に記載の電子ペンシステム。
【請求項４】
前記切り出し時間帯の開始時刻を設定するための開始エリア、及び前記切り出し時間帯の終了時刻を設定するための終了エリアが設けられ、前記開始エリア及び前記終了エリアのそれぞれで異なるコード化パターンが印刷された設定用紙を更に備え、
前記切り出し時間帯設定手段は、前記電子ペンによる前記設定用紙への記入に対応する記入情報に基づいて、前記電子ペンによって前記開始エリアに記入された時刻から前記電子ペンによって前記終了エリアに記入された時刻までの時間帯を、前記切り出し時間帯として設定することを特徴とする請求項１に記載の電子ペンシステム。
【請求項５】
前記設定用紙には、前記開始エリア及び前記終了エリアの複数のセットが、前記切り出し時間帯を設定する回に対応付けて設けられており、
前記切り出し時間帯設定手段は、前記電子ペンによって記入された前記開始エリア及び前記終了エリアに対応する回について、前記切り出し時間帯を設定することを特徴とする請求項４に記載の電子ペンシステム。
【請求項６】
前記切り出し時間帯の開始時刻を設定するための開始エリア、及び前記切り出し時間帯の長さを選択するための選択エリアが設けられ、前記開始エリア及び前記選択エリアのそれぞれで異なるコード化パターンが印刷された設定用紙を更に備え、
前記切り出し時間帯設定手段は、前記電子ペンによる前記設定用紙への記入に対応する記入情報に基づいて、前記電子ペンによって前記開始エリアに記入された時刻と、前記電子ペンによって前記選択エリアにより選択された前記切り出し時間帯の長さとに基づいて、前記切り出し時間帯を設定することを特徴とする請求項１に記載の電子ペンシステム。
【請求項７】
前記設定用紙には、前記開始エリア及び前記選択エリアの複数のセットが、前記切り出し時間帯を設定する回に対応付けて設けられており、
前記切り出し時間帯設定手段は、前記電子ペンによって記入された前記開始エリア及び前記選択エリアに対応する回について、前記切り出し時間帯を設定することを特徴とする請求項６に記載の電子ペンシステム。
【請求項８】
前記切り出し時間帯設定手段は、ｎ―１回までの全ての前記切り出し時間帯の設定が完了していない場合には、ｎ回について前記切り出し時間帯を設定しないことを特徴とする請求項４乃至７のいずれか一項に記載の電子ペンシステム。
【請求項９】
前記切り出し時間帯設定手段は、前記電子ペンによって前記設定用紙に所定長以上の手書きストロークが記入された場合にのみ、前記切り出し時間帯を設定することを特徴とする請求項４乃至８のいずれか一項に記載の電子ペンシステム。
【請求項１０】
前記切り出し時間帯設定手段は、前記電子ペンによって前記設定用紙に所定時間以上のペンダウンが行われた場合にのみ、前記切り出し時間帯を設定することを特徴とする請求項４乃至８のいずれか一項に記載の電子ペンシステム。
【請求項１１】
前記切り出し時間帯設定手段は、前記電子ペンによって前記設定用紙に所定回数のタップが行われた場合にのみ、前記切り出し時間帯を設定することを特徴とする請求項４乃至８のいずれか一項に記載の電子ペンシステム。
【請求項１２】
コード化パターンを読み取り、前記コード化パターンに応じた記入情報を生成する電子ペンと、
前記電子ペンにより読み取り可能なコード化パターンが印刷され、記入者が前記電子ペンによって手書きストロークを記入する記入用紙と、
前記電子ペンから前記記入情報を受信して、当該記入情報に応じた処理を行う端末装置と、を備える電子ペンシステムにおいて、前記端末装置によって実行されるプログラムであって、
記入者によって前記記入用紙に記入された手書きストロークの中で表示すべき手書きストロークを切り出すための切り出し時間帯を、複数回設定する切り出し時間帯設定手段、
前記切り出し時間帯設定手段によって複数回設定された切り出し時間帯の中で、選択された回に設定された切り出し時間帯内に記入された手書きストロークを表示するストローク表示手段、として前記端末装置を機能させることを特徴とするプログラム。
【請求項１３】
前記切り出し時間帯設定手段は、
前記切り出し時間帯の開始時刻を設定するための開始ボタン、及び前記切り出し時間帯の終了時刻を設定するための終了ボタンを表示し、
前記開始ボタンが選択された時刻から前記終了ボタンが選択された時刻までの時間帯を、前記切り出し時間帯として設定することを特徴とする請求項１２に記載のプログラム。
【請求項１４】
前記切り出し時間帯設定手段は、
前記切り出し時間帯の開始時刻を入力するための開始時刻入力欄、及び前記切り出し時間帯の終了時刻を入力するための終了時刻入力欄を表示し、
前記開始時刻入力欄に入力された時刻から前記終了時刻入力欄に入力された時刻までの時間帯を、前記切り出し時間帯として設定することを特徴とする請求項１２に記載のプログラム。
【請求項１５】
前記電子ペンシステムは、前記切り出し時間帯の開始時刻を設定するための開始エリア、及び前記切り出し時間帯の終了時刻を設定するための終了エリアが設けられ、前記開始エリア及び前記終了エリアのそれぞれで異なるコード化パターンが印刷された設定用紙を更に備え、
前記切り出し時間帯設定手段は、前記電子ペンによる前記設定用紙への記入に対応する記入情報に基づいて、前記電子ペンによって前記開始エリアに記入された時刻から前記電子ペンによって前記終了エリアに記入された時刻までの時間帯を、前記切り出し時間帯として設定することを特徴とする請求項１２に記載のプログラム。
【請求項１６】
前記設定用紙には、前記開始エリア及び前記終了エリアの複数のセットが、前記切り出し時間帯を設定する回に対応付けて設けられており、
前記切り出し時間帯設定手段は、前記電子ペンによって記入された前記開始エリア及び前記終了エリアに対応する回について、前記切り出し時間帯を設定することを特徴とする請求項１５に記載のプログラム。
【請求項１７】
前記電子ペンシステムは、前記切り出し時間帯の開始時刻を設定するための開始エリア、及び前記切り出し時間帯の長さを選択するための選択エリアが設けられ、前記開始エリア及び前記選択エリアのそれぞれで異なるコード化パターンが印刷された設定用紙を更に備え、
前記切り出し時間帯設定手段は、前記電子ペンによる前記設定用紙への記入に対応する記入情報に基づいて、前記電子ペンによって前記開始エリアに記入された時刻と、前記電子ペンによって前記選択エリアにより選択された前記切り出し時間帯の長さとに基づいて、前記切り出し時間帯を設定することを特徴とする請求項１２に記載のプログラム。
【請求項１８】
前記設定用紙には、前記開始エリア及び前記選択エリアの複数のセットが、前記切り出し時間帯を設定する回に対応付けて設けられており、
前記切り出し時間帯設定手段は、前記電子ペンによって記入された前記開始エリア及び前記選択エリアに対応する回について、前記切り出し時間帯を設定することを特徴とする請求項１７に記載のプログラム。
【請求項１９】
前記切り出し時間帯設定手段は、ｎ―１回までの全ての前記切り出し時間帯の設定が完了していない場合には、ｎ回について前記切り出し時間帯を設定しないことを特徴とする請求項１５乃至１８のいずれか一項に記載のプログラム。
【請求項２０】
前記切り出し時間帯設定手段は、前記電子ペンによって前記設定用紙に所定長以上の手書きストロークが記入された場合にのみ、前記切り出し時間帯を設定することを特徴とする請求項１５乃至１９のいずれか一項に記載のプログラム。
【請求項２１】
前記切り出し時間帯設定手段は、前記電子ペンによって前記設定用紙に所定時間以上のペンダウンが行われた場合にのみ、前記切り出し時間帯を設定することを特徴とする請求項１５乃至１９のいずれか一項に記載のプログラム。
【請求項２２】
前記切り出し時間帯設定手段は、前記電子ペンによって前記設定用紙に所定回数のタップが行われた場合にのみ、前記切り出し時間帯を設定することを特徴とする請求項１５乃至１９のいずれか一項に記載のプログラム。
【発明の詳細な説明】
【技術分野】
【０００１】
本発明は、電子ペンによって記入された手書きストロークを表示する電子ペンシステム、及びその電子ペンシステムにおいて端末装置によって実行されるプログラムに関する。
【背景技術】
【０００２】
近年、記入した情報を電子化する電子ペンが開発されており、その代表的なものとしてスウェーデンのＡｎｏｔｏ社が開発した「アノトペン（Ａｎｏｔｏ  ｐｅｎ）」が知られている。アノトペンは、所定のドットパターンが印刷された専用紙とともに使用される。アノトペンは、ペン先部に、文字等を書くための通常のインクカートリッジに加えて、専用紙に印刷されたドットパターンを撮像するための小型カメラと、撮像したドットパターンから専用紙における位置座標を演算するプロセッサと、演算された位置座標等を外部機器へ送信するデータ通信ユニットとを搭載している。ユーザが専用紙上にアノトペンで文字等を書いたり、専用紙上に図案化されている画像にチェックマークを記入したりすると、ペンの移動に伴って小型カメラが専用紙に印刷されたドットパターンを撮像し、プロセッサによって演算された連続する位置座標から、ユーザが書き込んだ文字、画像などの記入情報が認識される。そして、この記入情報が、データ通信ユニットによりアノトペンから近くのパーソナルコンピュータや携帯電話などの端末装置に送信される（例えば、特許文献１参照）。
【０００３】
特許文献２には、ドットパターンに対向する電子ペンの角度に起因するドットの画像上の配列を補正する回転補正処理機能が記載されている。特許文献３には、電子ペンを用いた協働学習システムにおいて、表示画面で任意の位置・大きさの範囲を指定すると、各解答用紙における同じ範囲を並べて一覧表示する技術が開示されている。特許文献４には、授業支援システムにおいて、ペーパーコントロールにおいて、筆記開始時刻と筆記終了時刻とを入力し、表示させるストロークを特定する技術が開示されている。
【先行技術文献】
【特許文献】
【０００４】
【特許文献１】特許第３８７２４９８号公報
【特許文献２】特表２００３−５２９８５３号公報
【特許文献３】特開２００９−２７６４７９号公報
【特許文献４】特開２０１１−４８０４２号公報
【発明の概要】
【発明が解決しようとする課題】
【０００５】
上記した特許文献４に記載された技術では、筆記開始時刻と筆記終了時刻とによって規定される時間帯内に記入された手書きストロークを表示することができたが、このような時間帯を複数回設定し、各時間帯ごとに手書きストロークを表示させることはできなかった。そこで、本発明は、切り出し時間帯を複数回設定し、各切り出し時間帯ごとに手書きストロークを適切に表示させることが可能な電子ペンシステム及びプログラムを提供することを主な目的とする。
【課題を解決するための手段】
【０００６】
本発明の１つの観点では、コード化パターンを読み取り、前記コード化パターンに応じた記入情報を生成する電子ペンと、前記電子ペンにより読み取り可能なコード化パターンが印刷され、記入者が前記電子ペンによって手書きストロークを記入する記入用紙と、前記電子ペンから前記記入情報を受信して、当該記入情報に応じた処理を行う端末装置と、を備える電子ペンシステムであって、前記端末装置は、記入者によって前記記入用紙に記入された手書きストロークの中で表示すべき手書きストロークを切り出すための切り出し時間帯を、複数回設定する切り出し時間帯設定手段と、前記切り出し時間帯設定手段によって複数回設定された切り出し時間帯の中で、選択された回に設定された切り出し時間帯内に記入された手書きストロークを表示するストローク表示手段と、を備える。
【０００７】
上記の電子ペンシステムでは、記入者は、電子ペンによって記入用紙に手書きストローク（以下では、単に「ストローク」とも表記する）を記入する。電子ペンは、記入用紙に印刷されたコード化パターンを読み取り、手書きストロークに関する記入情報を生成する。端末装置は、電子ペンから記入情報を受信して、当該記入情報に応じた処理を行う。具体的には、端末装置では、切り出し時間帯設定手段は、記入者によって記入用紙に記入された手書きストロークの中で表示すべき手書きストロークを切り出すための切り出し時間帯を、複数回設定する。ここで、「切り出し時間帯」は、当該時間帯に記入された手書きストロークのみを表示するために用いられる。ストローク表示手段は、切り出し時間帯設定手段によって複数回設定された切り出し時間帯の中で、操作者によって選択された回に設定された切り出し時間帯内に記入された手書きストロークを表示する。この場合、ストローク表示手段は、記入者によって記入用紙に記入された手書きストロークの中で、切り出し時間帯内に記入された手書きストロークを抽出して表示させる。
【０００８】
上記の電子ペンシステムによれば、複数回の切り出し時間帯の設定を行うことができると共に、複数回設定した切り出し時間帯の中で、操作者によって選択された回に設定された切り出し時間帯内に記入されたストロークを、適切に表示させることができる。これにより、例えば、操作者は、記入者に問題を解かせる時間帯などを複数回設定することができ（１つの例では複数の問題の各々を解かせる時間帯を設定することができ）、各々の時間帯に記入された解答を、選択によって個別に表示させることができる。
【０００９】
上記の電子ペンシステムの一態様では、前記切り出し時間帯設定手段は、前記切り出し時間帯の開始時刻を設定するための開始ボタン、及び前記切り出し時間帯の終了時刻を設定するための終了ボタンを表示し、前記開始ボタンが選択された時刻から前記終了ボタンが選択された時刻までの時間帯を、前記切り出し時間帯として設定する。この態様によれば、操作者は、端末装置に表示されたボタンを選択することで、切り出し時間帯を設定することができる。
【００１０】
上記の電子ペンシステムの他の一態様では、前記切り出し時間帯設定手段は、前記切り出し時間帯の開始時刻を入力するための開始時刻入力欄、及び前記切り出し時間帯の終了時刻を入力するための終了時刻入力欄を表示し、前記開始時刻入力欄に入力された時刻から前記終了時刻入力欄に入力された時刻までの時間帯を、前記切り出し時間帯として設定する。この態様によれば、操作者は、端末装置に対して時刻を直接入力することで、切り出し時間帯を設定することができる。
【００１１】
上記の電子ペンシステムの他の一態様では、前記切り出し時間帯の開始時刻を設定するための開始エリア、及び前記切り出し時間帯の終了時刻を設定するための終了エリアが設けられ、前記開始エリア及び前記終了エリアのそれぞれで異なるコード化パターンが印刷された設定用紙を更に備え、前記切り出し時間帯設定手段は、前記電子ペンによる前記設定用紙への記入に対応する記入情報に基づいて、前記電子ペンによって前記開始エリアに記入された時刻から前記電子ペンによって前記終了エリアに記入された時刻までの時間帯を、前記切り出し時間帯として設定する。この態様によれば、操作者は、電子ペンによって設定用紙に記入することで、切り出し時間帯を容易に設定することができる。
【００１２】
上記の電子ペンシステムの他の一態様では、前記設定用紙には、前記開始エリア及び前記終了エリアの複数のセットが、前記切り出し時間帯を設定する回に対応付けて設けられており、前記切り出し時間帯設定手段は、前記電子ペンによって記入された前記開始エリア及び前記終了エリアに対応する回について、前記切り出し時間帯を設定する。これにより、操作者は、複数回の切り出し時間帯を容易に設定することができる。
【００１３】
上記の電子ペンシステムの他の一態様では、前記切り出し時間帯の開始時刻を設定するための開始エリア、及び前記切り出し時間帯の長さを選択するための選択エリアが設けられ、前記開始エリア及び前記選択エリアのそれぞれで異なるコード化パターンが印刷された設定用紙を更に備え、前記切り出し時間帯設定手段は、前記電子ペンによる前記設定用紙への記入に対応する記入情報に基づいて、前記電子ペンによって前記開始エリアに記入された時刻と、前記電子ペンによって前記選択エリアにより選択された前記切り出し時間帯の長さとに基づいて、前記切り出し時間帯を設定する。この態様によれば、操作者は、設定用紙を用いて時間を選択することで、切り出し時間帯を容易に設定することができる。
【００１４】
上記の電子ペンシステムの他の一態様では、前記設定用紙には、前記開始エリア及び前記選択エリアの複数のセットが、前記切り出し時間帯を設定する回に対応付けて設けられており、前記切り出し時間帯設定手段は、前記電子ペンによって記入された前記開始エリア及び前記選択エリアに対応する回について、前記切り出し時間帯を設定する。これにより、操作者は、複数回の切り出し時間帯を容易に設定することができる。
【００１５】
上記の電子ペンシステムの他の一態様では、前記切り出し時間帯設定手段は、ｎ―１回までの全ての前記切り出し時間帯の設定が完了していない場合には、ｎ回について前記切り出し時間帯を設定しない。これにより、回を飛び越して切り出し時間帯が設定されてしまったりすることを適切に抑制することができる。
【００１６】
上記の電子ペンシステムにおいて好適には、前記切り出し時間帯設定手段は、前記電子ペンによって前記設定用紙に所定長以上の手書きストロークが記入された場合にのみ、前記切り出し時間帯を設定する。これにより、電子ペンが設定用紙に偶然触れたような場合に、切り出し時間帯が誤って設定されてしまうことを適切に抑制することができる。
【００１７】
上記の電子ペンシステムにおいて好適には、前記切り出し時間帯設定手段は、前記電子ペンによって前記設定用紙に所定時間以上のペンダウンが行われた場合にのみ、前記切り出し時間帯を設定する。これによっても、電子ペンが設定用紙に偶然触れたような場合に、切り出し時間帯が誤って設定されてしまうことを適切に抑制することができる。
【００１８】
上記の電子ペンシステムにおいて好適には、前記切り出し時間帯設定手段は、前記電子ペンによって前記設定用紙に所定回数のタップが行われた場合にのみ、前記切り出し時間帯を設定する。これによっても、電子ペンが設定用紙に偶然触れたような場合に、切り出し時間帯が誤って設定されてしまうことを適切に抑制することができる。
【００１９】
本発明の他の観点では、コード化パターンを読み取り、前記コード化パターンに応じた記入情報を生成する電子ペンと、前記電子ペンにより読み取り可能なコード化パターンが印刷され、記入者が前記電子ペンによって手書きストロークを記入する記入用紙と、前記電子ペンから前記記入情報を受信して、当該記入情報に応じた処理を行う端末装置と、を備える電子ペンシステムにおいて、前記端末装置によって実行されるプログラムは、記入者によって前記記入用紙に記入された手書きストロークの中で表示すべき手書きストロークを切り出すための切り出し時間帯を、複数回設定する切り出し時間帯設定手段、前記切り出し時間帯設定手段によって複数回設定された切り出し時間帯の中で、選択された回に設定された切り出し時間帯内に記入された手書きストロークを表示するストローク表示手段、として前記端末装置を機能させる。
【００２０】
上記のプログラムの一態様では、前記切り出し時間帯設定手段は、前記切り出し時間帯の開始時刻を設定するための開始ボタン、及び前記切り出し時間帯の終了時刻を設定するための終了ボタンを表示し、前記開始ボタンが選択された時刻から前記終了ボタンが選択された時刻までの時間帯を、前記切り出し時間帯として設定する。
【００２１】
上記のプログラムの一態様では、前記切り出し時間帯設定手段は、前記切り出し時間帯の開始時刻を入力するための開始時刻入力欄、及び前記切り出し時間帯の終了時刻を入力するための終了時刻入力欄を表示し、前記開始時刻入力欄に入力された時刻から前記終了時刻入力欄に入力された時刻までの時間帯を、前記切り出し時間帯として設定する。
【００２２】
上記のプログラムの一態様では、前記電子ペンシステムは、前記切り出し時間帯の開始時刻を設定するための開始エリア、及び前記切り出し時間帯の終了時刻を設定するための終了エリアが設けられ、前記開始エリア及び前記終了エリアのそれぞれで異なるコード化パターンが印刷された設定用紙を更に備え、前記切り出し時間帯設定手段は、前記電子ペンによる前記設定用紙への記入に対応する記入情報に基づいて、前記電子ペンによって前記開始エリアに記入された時刻から前記電子ペンによって前記終了エリアに記入された時刻までの時間帯を、前記切り出し時間帯として設定する。
【００２３】
上記のプログラムの一態様では、前記設定用紙には、前記開始エリア及び前記終了エリアの複数のセットが、前記切り出し時間帯を設定する回に対応付けて設けられており、前記切り出し時間帯設定手段は、前記電子ペンによって記入された前記開始エリア及び前記終了エリアに対応する回について、前記切り出し時間帯を設定する。
【００２４】
上記のプログラムの一態様では、前記電子ペンシステムは、前記切り出し時間帯の開始時刻を設定するための開始エリア、及び前記切り出し時間帯の長さを選択するための選択エリアが設けられ、前記開始エリア及び前記選択エリアのそれぞれで異なるコード化パターンが印刷された設定用紙を更に備え、前記切り出し時間帯設定手段は、前記電子ペンによる前記設定用紙への記入に対応する記入情報に基づいて、前記電子ペンによって前記開始エリアに記入された時刻と、前記電子ペンによって前記選択エリアにより選択された前記切り出し時間帯の長さとに基づいて、前記切り出し時間帯を設定する。
【００２５】
上記のプログラムの一態様では、前記設定用紙には、前記開始エリア及び前記選択エリアの複数のセットが、前記切り出し時間帯を設定する回に対応付けて設けられており、前記切り出し時間帯設定手段は、前記電子ペンによって記入された前記開始エリア及び前記選択エリアに対応する回について、前記切り出し時間帯を設定する。
【００２６】
上記のプログラムの一態様では、前記切り出し時間帯設定手段は、ｎ―１回までの全ての前記切り出し時間帯の設定が完了していない場合には、ｎ回について前記切り出し時間帯を設定しない。
【００２７】
上記のプログラムの一態様では、前記切り出し時間帯設定手段は、前記電子ペンによって前記設定用紙に所定長以上の手書きストロークが記入された場合にのみ、前記切り出し時間帯を設定する。
【００２８】
上記のプログラムの一態様では、前記切り出し時間帯設定手段は、前記電子ペンによって前記設定用紙に所定時間以上のペンダウンが行われた場合にのみ、前記切り出し時間帯を設定する。
【００２９】
上記のプログラムの一態様では、前記切り出し時間帯設定手段は、前記電子ペンによって前記設定用紙に所定回数のタップが行われた場合にのみ、前記切り出し時間帯を設定する。
【００３０】
これらのプログラムを実行することにより、上記の電子ペンシステムを実現することができる。
【発明の効果】
【００３１】
本発明によれば、複数回の切り出し時間帯の設定を行うことができると共に、複数回設定した切り出し時間帯の中で、操作者によって選択された回に設定された切り出し時間帯内に記入されたストロークを、適切に表示させることができる。
【図面の簡単な説明】
【００３２】
【図１】本実施形態に係る電子ペンシステムのシステム構成図である。
【図２】電子ペンシステムで利用される解答用紙を示す図である。
【図３】解答用紙、電子ペン、及び受講者の対応を説明するための図である。
【図４】ドットパターンにおけるドットの配置と変換される値との関係を示す説明図である。
【図５】（ａ）は、ドットパターンを模式的に示し、（ｂ）は、それに対応する情報の例を示す図である。
【図６】電子ペンの構造を示す概略図である。
【図７】集約装置の機能ブロック図を含む電子ペンシステムのシステム構成図である。
【図８】集約装置に記憶された、ユーザＩＤとユーザ名とペンＩＤとの関係を示す図である。
【図９】集約装置に記憶させる学習データのファイルの構造図である。
【図１０】集約装置における描画アプリケーションウィンドウの表示例である。
【図１１】集約装置における描画アプリケーションによる機能メニューの説明図であり、（Ａ）はファイルメニューのプルダウンメニュー、（Ｂ）は表示メニューのプルダウンメニュー、（Ｃ）はツールメニューのプルダウンメニューを示す。
【図１２】切り出し時間帯設定メニューが選択された場合に表示される切り出し時間帯設定画面の一例を示す。
【図１３】選択ユーザ表示ボタンが選択された場合の描画アプリケーションウィンドウの表示例である。
【図１４】比較一覧表示ボタンが選択された場合の描画アプリケーションウィンドウの表示例である。
【図１５】切り出し時間帯の選択に基づいて選択ユーザ表示又は比較一覧表示を行うために実行されるフローチャートである。
【図１６】選択ユーザ表示において行われる処理を示すフローチャートである。
【図１７】第２実施形態に係る切り出し時間帯設定用紙を示す図である。
【図１８】変形例１に係る切り出し時間帯設定用紙を示す図である。
【図１９】変形例２に係る切り出し時間帯設定用紙を示す図である。
【図２０】変形例４に係る切り出し時間帯設定画面を示す図である。
【図２１】変形例５に係る描画アプリケーションウィンドウを示す図である。
【発明を実施するための形態】
【００３３】
以下、図面を参照しながら、本発明に係るシステムの好適な実施形態について説明する。
【００３４】
＜第１実施形態＞
まず、本発明に係る第１実施形態について説明する。
【００３５】
［電子ペンシステムのシステム構成］
図１は、第１実施形態における電子ペンシステム１０のシステム構成図である。図１に示すように、電子ペンシステム１０は、各受講者（記入者）それぞれに配布される解答用紙（記入用紙）５Ａ，５Ｂ，…（５）と、解答用紙５に解答（筆跡）を記入し、記入した情報を外部へＢｌｕｅｔｏｏｔｈ（登録商標）等の無線通信方式で送信するための電子ペン１Ａ，１Ｂ，…（１）と、各電子ペン１から送信される記入情報を受信してディスプレイ（表示手段）に記入内容等を表示する集約装置（端末装置）２とを備える。
【００３６】
なお、図１では、集約装置２は、電子ペン１Ａ〜１Ｃから直接、記入情報を受信しているが、記入される解答用紙５が多いために記入情報を送信する電子ペン１の本数が多い場合や、受講者が解答する会場が離れている等により無線通信の範囲外となるような場合は、他の電子ペン１Ｄ、１Ｅ、…から送信される記入情報を中継して集約装置２へ転送するための転送装置３を設ける。このとき、転送装置３から集約装置２へのデータの送信は、例えばＬＡＮ経由でＴＣＰ／ＩＰの通信方式で行うとよい。各電子ペン１には、アノトペンを利用することができ、集約装置２には、ラップトップパソコンなどを利用することができ、転送装置３には、ラップトップパソコンやデータ転送専用のコンピュータなどを利用することができる。プロジェクタ４は、集約装置２から表示情報を受信して、集約装置２の画面をスクリーン６へ投影表示する装置である。
【００３７】
［解答用紙］
図２を参照して解答用紙（記入用紙）５について説明する。図２に示すように、受講者ごとに複数枚の解答用紙５が一組用意され、同じ組の解答用紙５には、それぞれ異なる座標範囲のドットパターン（コード化パターン）が印刷される。また、解答用紙５には、マス目が印刷されている。ドットパターンは、赤外線を吸収するカーボンを含んだインキにより印刷され、マス目は、赤外域に吸収性を持たないインキにより印刷される。なお、解答用紙５に、記入欄や問題や解答欄等を印刷しておいても良い。
【００３８】
［解答用紙、電子ペンと受講者の対応等］
解答用紙、電子ペンと受講者（記入者）の対応等については、本実施形態では、図３に示すように、受講者「太郎」が、電子ペン１Ａを用いて解答用紙５Ａに解答し、受講者「次郎」が、電子ペン１Ｂを用いて解答用紙５Ｂに解答し、受講者「三郎」が、電子ペン１Ｃを用いて解答用紙５Ｃに解答し、受講者「四郎」が、電子ペン１Ｄを用いて解答用紙５Ｄに解答し、受講者「五郎」が、電子ペン１Ｅを用いて解答用紙５Ｅに解答するものとする。また、講師（操作者）「花子」が、集約装置２を操作するものとする。
【００３９】
［ドットパターン］
【００４０】
次に、図４と図５を参照しながら、解答用紙５に印刷されたアノト方式のドットパターン（コード化パターン）について説明する。図４は、解答用紙５に印刷されたドットパターンのドットと、そのドットが変換される値との関係を説明する図である。図４に示すように、ドットパターンの各ドットは、その位置によって所定の値に対応付けられている。すなわち、ドットの位置を格子の基準位置（縦線及び横線の交差点）から上下左右のどの方向にシフトするかによって、各ドットは、０〜３の値に対応付けられている。また、各ドットの値は、さらに、Ｘ座標用の第１ビット値及びＹ座標用の第２ビット値に変換できる。このようにして対応付けられた情報の組み合わせにより、用紙上の位置座標が決定されるように構成されている。
【００４１】
図５（ａ）は、あるドットパターンの配列を示している。図５（ａ）に示すように、縦横約２ｍｍの範囲内に６×６個のドットが、用紙上のどの部分から６×６ドットを取っても、ユニークなパターンとなるように配置されている。これら３６個のドットにより形成されるドットパターンは位置座標（例えば、そのドットパターンが解答用紙５上のどの位置にあるのか）を保持している。図５（ｂ）は、図５（ａ）に示す各ドットを、格子の基準位置からのシフト方向によって、図４に示す規則性に基づいて、対応づけられた値に変換したものである。この変換は、ドットパターンの画像を撮影する電子ペン１によって行われる。
【００４２】
［電子ペン］
次に、電子ペン１について図６を用いて説明する。図６は、電子ペン１の構造を示す概略図である。図６に示すように、電子ペン１は、その筐体１０１の内部に、インクカートリッジ１０４、ＬＥＤ１０５、ＣＭＯＳカメラ１０６、圧力センサ１０７、ＣＰＵ等により構成されるプロセッサ１０８、ＲＯＭやＲＡＭといったメモリ１０９、リアルタイムクロック１１０、アンテナ等により構成される通信ユニット１１１、及びバッテリー１１２を備える。インクカートリッジ１０４の先端は、ペン先部１０３となっており、各受講者は、電子ペン１のペン先部１０３を、解答用紙５に当接させてストローク（手書きストローク）を記入する。インクカートリッジ１０４のインクは、赤外線を吸収する材料（例えばカーボン）を含まないようにする。ここで、電子ペン１のペン先部１０３が用紙に接触することを「ペンダウン」と呼び、接触している（当接している）状態からペン先部１０３が離れることを「ペンアップ」と呼ぶ。電子ペン１のペンダウンからペンアップまでの間に記入される軌跡が１つのストロークとなり、文字や図形等は、１つ又は複数個のストロークからなる。
【００４３】
バッテリー１１２は電子ペン１内の各部品に電力を供給するためのものであり、例えば電子ペン１のキャップ（図示せず）の脱着により電子ペン１自体の電源のオン／オフを行うよう構成させてもよい。リアルタイムクロック１１０は、現在時刻（タイムスタンプ）を示す時刻情報を発信し、プロセッサ１０８に供給する。圧力センサ１０７は、受講者が電子ペン１により解答用紙５に文字やマークを書いたりタップしたりする際にペン先部１０３からインクカートリッジ１０４を通じて与えられる圧力、即ち筆圧を検出し、その値をプロセッサ１０８へ伝送する。
【００４４】
プロセッサ１０８は、圧力センサ１０７から与えられる筆圧データに基づいて、ＬＥＤ１０５及びＣＭＯＳカメラ１０６のスイッチのオン／オフを切り替える。即ち、受講者が電子ペン１で解答用紙５に文字などを書くと、ペン先部１０３に筆圧がかかり、圧力センサ１０７によって所定値以上の筆圧が検出されたときに、プロセッサ１０８は、受講者が記入を開始したと判定して、ＬＥＤ１０５及びＣＭＯＳカメラ１０６を作動させる。そして、受講者が１つのストロークを記入し終えて電子ペン１を解答用紙５から離すと、圧力センサ１０７は、所定値以上の筆圧が検出されなくなることでペンアップを検出する。すると、通信ユニット１１１が、圧力センサ１０７により検出されたペンアップ情報とペンＩＤとを関連付けて、記入情報として集約装置２へ送信する。
【００４５】
ＬＥＤ１０５とＣＭＯＳカメラ１０６は、電子ペン１のペン先部１０３付近に取り付けられており、筐体１０１におけるＬＥＤ１０５及びＣＭＯＳカメラ１０６と対向する部分には、開口部１０２が形成されている。ＬＥＤ１０５は、解答用紙５上のペン先部１０３近傍に向けて赤外線を照明する。その領域は、ペン先部１０３が解答用紙５に接触する位置とはわずかにずれている。ＣＭＯＳカメラ１０６には、赤外線を透過し赤外線以外を遮断する赤外線透過フィルタが設けられており、ＣＭＯＳカメラ１０６は、ＬＥＤ１０５によって照明された領域内におけるドットパターンを撮影し、そのドットパターンの画像データをプロセッサ１０８に供給する。ここで、カーボンは赤外線を吸収するため、ＬＥＤ１０５によって照射された赤外線は、ドットに含まれるカーボンによって吸収される。そのため、ドットの部分は、赤外線の反射量が比較的少なく、ドット以外の部分は赤外線の反射量が比較的多い。ＣＭＯＳカメラ１０６の撮影により、赤外線の反射量の違いから閾値を設けることによって、カーボンを含むドットの領域とそれ以外の領域を区別することができる。したがって、解答用紙５に記入欄などが印刷されていた場合でも、印刷したインクは赤外域に吸収性を持たないため、プロセッサ１０８は、ドットパターンを認識することができる。なお、ＣＭＯＳカメラ１０６による撮影領域は、図５（ａ）に示すような約２ｍｍ×約２ｍｍの大きさを含む範囲であり、ＣＭＯＳカメラ１０６の撮影は毎秒５０〜１００回程度の定間隔で行われる。また、ＣＭＯＳカメラ１０６は、ドットを鮮明に撮影するため、十分な被写界深度を有している。
【００４６】
プロセッサ１０８は、受講者の記入が行われる間、ＣＭＯＳカメラ１０６によって供給される画像データのドットパターンから、受講者が記入するストローク（筆跡）の解答用紙５上におけるＸ、Ｙ座標（以後、単に「座標データ」または「座標情報」とも呼ぶ。）を連続的に演算していく。すなわち、プロセッサ１０８は、ＣＭＯＳカメラ１０６によって供給される、図５（ａ）に示されるようなドットパターンの画像データを図５（ｂ）に示すデータ配列に変換し、さらに、Ｘ座標ビット値・Ｙ座標ビット値に変換して、そのデータ配列から所定の演算方法によりＸ、Ｙ座標データを演算する。なお、プロセッサ１０８は、ドットパターンに対向する電子ペン１の角度に起因するドットの画像上の配列を補正する回転補正処理機能を備えており、座標演算に利用されている。そして、プロセッサ１０８は、リアルタイムクロック１１０から発信される現在時刻（タイムスタンプ：記入された時刻情報）、筆圧データ及びＸ、Ｙ座標データを関連付ける。以後、これらの関連付けたデータを、まとめて「座標属性情報」と呼ぶ。なお、解答用紙５における６×６のドットパターンは、解答用紙５内で重複することはないため、受講者が電子ペン１で文字等を記入すると、記入された位置が解答用紙５のどの位置に当たるかを、プロセッサ１０８による座標演算により特定することができる。
【００４７】
メモリ１０９には、各電子ペン１Ａ〜１Ｅを識別するためのそれぞれのペンＩＤ「ｐｅｎ０１」〜「ｐｅｎ０５」、ペン製造者番号、ペンソフトウェアのバージョン等のプロパティ情報が記憶されている。そして、通信ユニット１１１は、ペンＩＤと、時刻情報（タイムスタンプ）と、筆圧データと、Ｘ、Ｙ座標データとを関連付けて、記入情報として集約装置２へ送信する。通信ユニット１１１による集約装置２への送信は、Ｂｌｕｅｔｏｏｔｈ（登録商標）などの無線送信によって、即時的かつ逐次的に行われる。ここで、電子ペン１のペンダウンからペンアップまでの間に生成されて集約装置２に送信された１個又は複数個の座標属性情報は、集約装置２によりストローク情報として記憶される。換言すると、１つのストロークは、１個又は複数個のＸ、Ｙ座標（座標点）からなり、集約装置２は、ペンダウン情報及びペンアップ情報によって、１つのストロークを構成する１個又は複数個の座標属性情報を認識する。
【００４８】
このように、各電子ペン１Ａ〜１Ｅは、受講者が解答用紙５に記入する都度、記入情報を生成して、集約装置２へ送信する。言い換えると、各電子ペン１Ａ〜１Ｅは、受講者が解答用紙５に記入し続けている間、記入情報を生成し、集約装置２へ送信し続ける。そして、受講者が電子ペン１を解答用紙５から離す（ペンアップする）と、当該電子ペン１は、圧力センサ１０７で所定値以上の筆圧が検出されなくなったことにより、受講者が記入を停止したと判定する。そして、この場合、ペンアップされた電子ペン１は、ＬＥＤ１０５とＣＭＯＳカメラ１０６を停止して、集約装置２への記入情報の送信を中止する。
【００４９】
［転送装置］
図７を参照して転送装置３について説明する。図７に、転送装置３の機能ブロック図と集約装置２の機能ブロック図とを含む電子ペンシステム１０のシステム構成図を示す。
【００５０】
図７に示すように、転送装置３は、転送受信手段３１と転送送信手段３２とを備える。転送受信手段３１は、電子ペン１からＢｌｕｅｔｏｏｔｈ（登録商標）の無線通信方式で送信される記入情報等のデータを受信する手段である。転送送信手段３２は、転送受信手段３１によって受信した記入情報等のデータを集約装置２に送信する手段である。転送送信手段３２による集約装置２へのデータの送信は、例えばＬＡＮ経由でＴＣＰ／ＩＰの通信方式により行うと良い。
【００５１】
［集約装置］
続いて、集約装置２について説明する。図７に示すように、集約装置２は、範囲指定手段２０、入力手段２１、集約個別受信手段（受信手段）２２、集約転送受信手段（受信手段）２３、集約処理手段（処理手段）２４、記憶手段２５、表示手段２６、及び送信手段２７を備える。集約装置２は、ハードウェアとして、電子ペン１やプロジェクタ４とのデータ通信が可能な通信装置と、ＣＰＵ等のプロセッサと、ＲＯＭやＲＡＭ、ハードディスクなどのメモリと、ディスプレイと、マウスやキーボード等で構成されているパーソナルコンピュータ等である。また、集約装置２は、集約処理手段２４による描画アプリケーション（プログラム）の実行により、電子ペン１から受信した記入情報を処理して、表示手段２６に記入内容を再現する。
【００５２】
集約個別受信手段２２は、電子ペン１から送信された記入情報等のデータを受信する手段である。集約転送受信手段２３は、転送装置３から転送された記入情報等のデータを受信する手段である。集約個別受信手段２２及び集約転送受信手段２３は、アンテナや受信回路等により構成される。
【００５３】
範囲指定手段２０は、マウス等のポインティング・デバイスとその操作を検知する手段によって構成され、マウスによって、表示手段２６の画面におけるボタンのクリック操作や任意の位置・大きさの長方形状の画面範囲を指定するドラッグ操作が可能である。入力手段２１は、処理や表示の種別を含む処理態様を指示する手段であり、キーボードやマウスとその操作を検知する手段によって構成される。このように、マウスは、その操作によって範囲指定手段２０と入力手段２１とを兼ねる。送信手段２７は、表示手段２６に表示される内容と同じ内容をプロジェクタ４からスクリーン６へ投影表示させるため、表示手段２６への表示信号を同期してプロジェクタ４へ送信する手段である。
【００５４】
記憶手段２５は、ＲＯＭやＲＡＭ、ハードディスクなどのメモリによって構成され、解答用紙５における各ユーザエリアと位置座標とを関連付けて記憶する。また、図８に示すように、記憶手段２５は、電子ペン１が保持する固有のペンＩＤに対して、ユーザＩＤとユーザ名とをユーザ定義情報として関連付けて記憶する。図８において、例えば、ペンＩＤ「ｐｅｎ０１」には、ユーザＩＤ「Ｕ０１」とユーザ名「太郎」とが予め関連付けられて記憶されている。さらに、記憶手段２５は、各電子ペン１によって送信されてきた記入情報を、ペンＩＤごとに記憶する。
【００５５】
記憶手段２５には、記入情報およびユーザ定義情報に基づいて、集約処理手段２４による描画アプリケーション（プログラム）の実行により、ファイル形式で学習データが保存される。図９は、データのファイル形式の概略的な構造を示している。図９に示すように、学習データは、ファイル属性情報と、ユーザＩＤ別の個人学習データとを有する。ファイル属性情報には、作成日時情報が含まれている。また、個人学習データには、ユーザＩＤと、電子ペン１から送信された記入情報の位置座標情報等を含むユーザストローク情報と、解答内容等に応じてカテゴライズのために操作者によって設定されるユーザ色（分類）情報やキーワード情報等が含まれている。ユーザＩＤは、集約処理手段２４により、記入情報に含まれるペンＩＤに基づいて、記憶手段２５に予め記憶されたユーザ定義情報を参照することで特定され、当該記入情報に基づくユーザストローク情報と対応付けられる。ユーザストローク情報は、電子ペン１が演算した位置座標（ＸＹ座標）情報、記入された時の時刻情報、及び筆圧情報が含まれる。ファイルデータを読み込む際には、操作者が、入力手段２１によって、ユーザＩＤ、ユーザ色情報、キーワード情報などを所定の入力エリアに入力することで、集約処理手段２４によって特定のデータを検索させ、ユーザストローク情報を表示手段２６に再現させることができる。
【００５６】
集約処理手段２４は、電子ペン１からのデータを集約して処理する手段であり、アプリケーションプログラムの実行により機能を発揮するＣＰＵ等のプロセッサによって構成されている。この集約処理手段２４は、電子ペン１から位置座標及びペンＩＤ等を含む記入情報を受信すると、ペンＩＤごとに記入情報を記憶手段２５に記憶させる。また、集約処理手段２４は、ペンＩＤごとに関連付けられた記入情報を筆跡として再現して表示手段２６に表示させ、また、範囲指定手段２０のマウス操作でドラッグにより指定された範囲に対応する各解答用紙５における記入情報を、記憶手段２５から抽出して、各解答用紙５における記入情報を筆跡として表示手段２６に一覧表示させる等、様々な処理を行う。
【００５７】
また、集約処理手段２４は、解答用紙５についての記入情報を含む学習データに基づいて、表示手段２６に記入内容を表示させるとともに電子ペンＩＤに対応するユーザＩＤに対応するユーザ名を表示させる。表示手段２６に電子ペン１による記入内容とユーザ名とが表示されるため、操作者である講師「花子」は、受講者（記入者）とその者による記入内容とを合わせて認識することができる。また、集約処理手段２４は、表示手段２６と同じ内容を同期させて、プロジェクタ４からスクリーン６へ投影表示させるため、表示手段２６に対する表示信号と同じ信号を送信手段２７に対してプロジェクタ４へ向けて送信させる。すると、各受講者も、プロジェクタ４からスクリーン６へ投影表示された記入内容とその記入者とを合わせて認識することができる。更に、集約処理手段２４は、切り出し時間帯設定手段２４１及びストローク表示手段２４２を備える。切り出し時間帯設定手段２４１及びストローク表示手段２４２が行う処理については、詳細は後述する。
【００５８】
［描画アプリケーションによる画面表示］
次に、描画アプリケーションの実行による集約処理手段２４の表示手段２６への表示処理について図１０を参照しつつ説明する。図１０は、表示手段２６の表示画面に表示された描画アプリケーションに基づくウィンドウ（「描画アプリケーションウィンドウ」とも呼ぶ。）の一例を示す。
【００５９】
図１０に示すように、電子ペン１で解答用紙５に記入された際に生成された記入情報に基づいて、集約装置２で記憶手段２５に個別学習データとして記憶したユーザストローク情報（以下、単に「ストローク」とも表記する。）は、集約処理手段２４のストローク表示手段２４２によって、表示手段２６のユーザストローク情報表示領域５０に描画される。描画するユーザストローク情報が、拡大表示などでユーザストローク情報表示領域５０よりも大きい場合、ストローク表示手段２４２は、横スクロールバー５１及び縦スクロールバー５２を有効とし、操作者のマウス操作によってユーザストローク情報表示領域５０をスクロールして、ユーザストローク情報全体を複数回に分けて表示できるようにする。
【００６０】
また、集約処理手段２４は、描画アプリケーションウィンドウ上部に、機能ボタンとして、選択ユーザ表示ボタン５３、比較一覧表示ボタン５４、再生表示ボタン５６、選択画像出力ボタン５７、表示サイズ変更リスト５８、縮小表示ボタン５９、拡大表示ボタン６０、ページ送りボタン６１，６２、回転表示ボタン６３、６４、及びユーザコントロール表示ボタン６５などを表示し、マウスによる機能ボタンの選択により、それぞれの処理を実行する。
【００６１】
選択ユーザ表示ボタン５３は、後述するユーザ選択リスト６９から選択した１つのユーザ名に対応するユーザストローク情報を大きく表示し、他のユーザ名に対応するユーザストローク情報を小さく表示したサムネイルを一覧表示するためのボタンである。以後、選択ユーザ表示ボタン５３が選択された際の描画アプリケーションウィンドウの表示を「選択ユーザ表示」と呼ぶ。比較一覧表示ボタン５４は、複数のユーザ名に対応するユーザストローク情報を同時に並べて一覧表示するためのボタンである。以後、比較一覧表示ボタン５４が選択された際の描画アプリケーションウィンドウの表示を「比較一覧表示」と呼ぶ。再生表示ボタン５６は、ユーザストローク情報を１ストロークずつ再生表示するためのボタンである。選択画像出力ボタン５７は、任意選択範囲がある場合にその範囲内のユーザストローク情報を、画像データとして出力するためのボタンである。この機能を設けることで、各受講生の記入情報から、参考となる模範解答集などを容易に作成できるようになる。
【００６２】
表示サイズ変更リスト５８は、現在、ユーザストローク情報表示領域５０に描画するユーザストローク情報の表示サイズを示すリストである。また、操作者がマウスを用いてプルダウンメニューの中から表示サイズを任意に選択し、変更できる。縮小表示ボタン５９は、ユーザストローク情報表示領域５０に描画するユーザストローク情報の表示サイズを、現在設定されている表示サイズから所定の割合で縮小する機能である。拡大表示ボタン６０は、ユーザストローク情報表示領域５０に描画するユーザストローク情報の表示サイズを、現在設定されている表示サイズから所定の割合で拡大する機能である。ページ送りボタン６１，６２は、解答用紙５のセットが複数枚に及ぶ場合に、異なるページアドレス（用紙ドットパターン）の解答用紙５を表示するためのボタンである。回転表示ボタン６３，６４は、ユーザストローク情報表示領域５０に描画するユーザストローク情報を９０度ずつ回転させるためのボタンである。このような機能を設けることで、表示上の用紙向きを簡単に変更できる。ユーザコントロール表示ボタン６５は、ユーザコントロールリスト６８の表示・非表示を切り替える機能である。非表示にすることで、ユーザストローク情報表示領域５０を拡大できる。
【００６３】
図１０に示すように、ユーザコントロールリスト６８には、ユーザ選択リスト６９、色分類ボタン７１〜７６、名簿順ソートボタン７８、色順ソートボタン７９、分類グラフ表示ボタン８１、リロードボタン８２などが表示される。
【００６４】
ユーザ選択リスト６９は、ユーザストローク情報表示領域５０に表示するユーザストローク情報を、ユーザ名で選択するためのリストである。ユーザ選択リスト６９は、ユーザ色（分類）情報表示欄６９１と、ユーザ名表示欄６９２と、キーワード表示欄６９３とを備える。集約処理手段２４は、電子ペン１から取得して個別学習データとして記憶手段２５に記憶したユーザストローク情報ごとに関連付けられているユーザＩＤに対応するユーザ名をユーザ名表示欄６９２に表示し、色分類ボタン７１〜７６によって選択されたユーザ色（分類）情報をユーザ色（分類）情報表示欄６９１に表示し、キーワード等の各ユーザの情報をキーワード表示欄６９３に表示する。ユーザ選択リスト６９のユーザ名表示欄６９２には、集約処理手段２４により、記憶手段２５に記憶した個別学習データのユーザＩＤに対応するユーザ名が表示される。
【００６５】
そして、操作者がマウスによって、ユーザ選択リスト６９から所望のユーザを選択したうえで選択ユーザ表示ボタン５３をクリックすると、ストローク表示手段２４２は、ユーザストローク情報表示領域５０に、選択された受講者のストローク情報を大きく表示させると共に、他の受講者のストローク情報を小さく表示したサムネイルを一覧表示させる。なお、集約装置２の操作者は、ユーザ選択リスト６９のキーワードの欄に、入力手段２１のキーボードを用いて直接文字を入力することができ、集約処理手段２４は、入力された文字を個人学習データファイルのキーワード情報として記憶手段２５におけるユーザＩＤ別の格納領域に記憶させる（参照図９）。
【００６６】
色分類ボタン７１〜７６は、ユーザ選択リスト６９に表示されている受講者ごとにユーザ色（分類）情報を設定するためのボタンである。ボタン７１は赤色に、ボタン７２は青色に、ボタン７３は黄色に、ボタン７４は緑色に、ボタン７５は茶色に、ボタン７６は白色にユーザ色（分類）情報を設定するためのボタンである。集約装置２の操作者は、マウスによって、ユーザ選択リスト６９内の特定のユーザ名を選択し、色分類ボタン７１〜７６のうち所望のボタンを選択すると、集約処理手段２４は、ユーザ選択リスト６９内の選択されたユーザ名のユーザ色（分類）情報表示欄６９１を指定された色で表示する。この機能により、操作者である講師が、ユーザストローク情報表示領域５０に表示される受講者の解答内容を見て、その考え方などをカテゴリー分けして色をつけ、見易くすることができる。なお、ユーザ色（分類）情報は、未設定時は、白色に設定しておくとよい。
【００６７】
名簿順ソートボタン７８は、ユーザ選択リスト６９に表示されているユーザ一覧を、名簿番号順に並べ替えるためのボタンである。本実施形態では、図８に示すユーザＩＤ順を名簿番号順としている。色順ソートボタン７９は、ユーザ選択リスト６９に表示されているユーザ一覧を、色分類ボタン７１〜７６の操作によって付されたユーザ色（分類）情報が同じ受講者同士を連続して配列されるように、ユーザ色（分類）情報順に並べ替えるためのボタンである。分類グラフ表示ボタン８１は、色分類ボタン７１〜７６の操作によって付されたユーザ色情報別のユーザ数を、ユーザストローク情報表示領域５０に棒グラフ等で表示するためのボタンである。
【００６８】
リロードボタン８２は、ユーザ選択リスト６９において選択されている受講者のユーザストローク情報を、学習データファイル保存時の状態まで戻すためのボタンである。この機能により、操作者である講師が、リロードボタン８２をマウスで選択すると、ストローク表示手段２４２は、選択されている受講者に関連付けられているユーザＩＤに基づいて、前回のファイル保存以降に電子ペン１より受信して記憶手段２５のユーザＩＤ別の格納領域に記憶したユーザストローク情報をクリアして、前回ファイル保存した時点までのユーザストローク情報を読み出し、ユーザストローク情報表示領域５０に表示する。この機能により、個々の受講者が解答をやり直したい場合などに対応できる。
【００６９】
また、図１１に示すように、ファイルデータの保存やアプリケーションの設定などは、一般的なアプリケーションと同様に、機能メニューとして用意しておくと良い。図１１（Ａ）に示すように、ファイルメニュー９０のプルダウンメニューとして、ファイルデータの読み込み・保存を実行するメニュー９０Ａ、９０Ｂ、画像形式で保存するメニュー９０Ｃ、９０Ｄ、アプリケーションの終了を実行するメニュー９０Ｅなど、アプリケーションの全般的な管理に関する実行機能を一覧で用意しておくと便利である。
【００７０】
また、ファイルデータの保存に関するファイル形式を、ユーザ別のユーザストローク情報と設定情報を関連付けた構造としているので、ファイルデータを読み込む際、ユーザＩＤ（記入者ＩＤ）、ユーザ色情報、キーワード情報などから特定のデータを検索し、検索されたユーザストローク情報をユーザストローク情報表示領域５０に表示することができる。ここで、図９のキーワード情報は、図１０に示すユーザ選択リスト６９のキーワードに対応している。
【００７１】
図１１（Ｂ）に示すように、表示メニュー９１のプルダウンメニューとして、ウィンドウ枠を隠しアプリケーションの表示領域を最大限拡大する全画面表示メニュー９１Ａなど、アプリケーションの表示に関する実行機能を一覧で用意しておくと便利である。また、図１１（Ｃ）に示すように、ツールメニュー９２のプルダウンメニューとして、各受講者によって記入されたストロークを切り出すための切り出し時間帯を設定するための切り出し時間帯設定メニュー９２Ａ（詳細は後述する）、電子ペン１の接続経由状況（例えば転送装置３のＩＰアドレスなど）を表示するペン管理メニュー９２Ｂ、ユーザストローク情報を表示する背景となる解答用紙５の画像を設定する用紙管理メニュー９２Ｃ、アプリケーションの情報を表示するメニュー９２Ｄなど、アプリケーションの設定に関する実行機能を一覧で用意しておくと便利である。これらのボタンやメニューが選択されると、集約処理手段２４により各機能が実行される。
【００７２】
［切り出し時間帯設定機能］
次に、図１２を参照して、切り出し時間帯設定メニュー９２Ａが選択された場合の切り出し時間帯設定機能について説明する。第１実施形態では、集約処理手段２４の切り出し時間帯設定手段２４１は、操作者によって切り出し時間帯設定メニュー９２Ａが選択された場合に、描画アプリケーションウィンドウ内に、切り出し時間帯を設定するための開始ボタンと終了ボタンとを表示する。そして、切り出し時間帯設定手段２４１は、操作者によって開始ボタンが選択されてから、操作者によって終了ボタンが選択されるまでの時間帯を、切り出し時間帯として設定する。また、切り出し時間帯設定手段２４１は、最初に設定した切り出し時間帯を１回目の切り出し時間帯として用い、１回目の切り出し時間帯の後に設定した切り出し時間帯を２回目の切り出し時間帯として用い、２回目の切り出し時間帯の後に設定した切り出し時間帯を３回目の切り出し時間帯として用いるといった具合に処理を繰り返すことで、複数回の切り出し時間帯を設定していく。
【００７３】
ここで、切り出し時間帯は、当該時間帯に記入されたストロークのみを表示するために用いられる。つまり、ストローク表示手段２４２は、各受講者によって記入されたストロークのうち、切り出し時間帯内に記入されたストロークのみを切り出して表示させる。より具体的には、ストローク表示手段２４２は、切り出し時間帯を複数回設定した場合には、各回の切り出し時間帯ごとにストロークを切り出して表示させる。この場合、ストローク表示手段２４２は、複数回設定した切り出し時間帯の中で、操作者によって選択された回に設定した切り出し時間帯内に記入されたストロークを表示させる。具体的には、ストローク表示手段２４２は、電子ペン１から受信した記入情報に含まれる時刻情報（タイムスタンプ）を参照し、切り出し時間帯内の時刻情報を含む記入情報を抽出することで、切り出し時間帯内に記入されたストロークを抽出して表示させる。
【００７４】
図１２は、切り出し時間帯設定メニュー９２Ａが選択された場合に表示される画面（以下、「切り出し時間帯設定画面」と呼ぶ。）の一例を示す。図１２に示すように、切り出し時間帯設定画面は、上記したユーザストローク情報表示領域５０に対応する領域５５に表示される。切り出し時間帯設定画面には、切り出し時間帯を設定するための開始ボタン３０１及び終了ボタン３０２が表示される。例えば、操作者は、受講者に問題の解答を開始させる際に開始ボタン３０１をマウス操作などにより押下し、受講者に問題の解答を終了させる際に終了ボタン３０２をマウス操作などにより押下する。そして、切り出し時間帯設定手段２４１は、操作者によって開始ボタン３０１が押下された時刻を切り出し時間帯の開始時刻として設定すると共に、操作者によって終了ボタン３０２が押下された時刻を切り出し時間帯の終了時刻として設定し、このような開始時刻から終了時刻までの時間帯を切り出し時間帯として設定する。具体的には、切り出し時間帯設定手段２４１は、集約装置２内のクロックの時刻に基づいて、このような切り出し時間帯を設定する。なお、ストローク表示手段２４２は、前述したように切り出し時間帯内に記入されたストロークを切り出して表示させるが、この場合、電子ペン１から受信した記入情報に含まれる時刻情報（タイムスタンプ）に基づいて、切り出し時間帯内に記入されたストロークを切り出す。そのため、集約装置２内のクロックと、電子ペン１内のリアルタイムクロック１１０とが同期している必要がある。
【００７５】
また、切り出し時間帯設定画面には、符号３０３に示すように開始ボタン３０１の押下からの経過時間と、符号３０４に示すように現在時刻と、符号３０５に示すように、各回の開始ボタン３０１が押下された時刻（開始時刻）及び終了ボタン３０２が押下された時刻（終了時刻）とが表示される。図１２では、１回目の切り出し時間帯の設定が終了した後の、２回目の切り出し時間帯を設定している途中の状態（終了ボタン３０２が未だ押下されていない状態）を例示している。
【００７６】
更に、上記のような各回の開始時刻及び終了時刻は、ユーザコントロールリスト６８内にも切り出し時間帯リスト８９として表示される。切り出し時間帯リスト８９は、回（１回目、２回目）が表記された部分がボタン８９Ａ、８９Ｂとなっており、ユーザストローク情報表示領域５０に表示するストロークを、切り出し時間帯が設定された回で選択可能に構成されている。操作者はボタン８９Ａ、８９Ｂを用いて回を選択し、ストローク表示手段２４２は、操作者によって選択された回に設定した切り出し時間帯内に記入されたストロークを表示させる。なお、図１２では、１回目を選択するためのボタン８９Ａ及び２回目を選択するためのボタン８９Ｂのみが表示された切り出し時間帯リスト８９を例示しているが、切り出し時間帯が３回以上設定された場合には、３回目以降を選択するためのボタンも表示される。
【００７７】
［選択ユーザ表示機能］
次に、図１３を参照して、選択ユーザ表示ボタン５３が選択された場合の選択ユーザ表示機能について説明する。
【００７８】
図１３は、選択ユーザ表示ボタン５３が選択された場合に表示される描画アプリケーションウィンドウの選択ユーザ表示の一例を示す。図１３に示すように、ストローク表示手段２４２は、選択ユーザ表示ボタン５３が選択された場合に、ユーザストローク情報表示領域５０に、操作者によって選択された受講者（図１３に示す例では「太郎」）によって記入されたストロークを大きく表示した拡大画像２００Ａ（２００）を表示させると共に、操作者によって選択されなかった他の受講者（図１３に示す例では「次郎」、「三郎」、「四郎」、「五郎」）によって記入されたストロークを、拡大画像２００よりも小さく表示したサムネイル２０１Ｂ〜２０１Ｅ（２０１）で一覧表示させる。具体的には、ストローク表示手段２４２は、ユーザストローク情報表示領域５０の上部エリアに拡大画像２００を表示させ、ユーザストローク情報表示領域５０の下部エリアにサムネイル２０１を同時に並べて一覧表示させる。この場合、ストローク表示手段２４２は、同じ縮尺にて、各受講者によって記入されたストロークに対応するサムネイル２０１を表示させる。なお、操作者によって選択されなかった受講者のストロークを、サムネイルよりも大きめの画像にて表示しても良い。
【００７９】
より詳しくは、ストローク表示手段２４２は、操作者が切り出し時間帯リスト８９のボタン８９Ａを押下することで選択された、１回目の切り出し時間帯内に各受講者によって記入されたストロークを切り出して表示させる。この場合、ストローク表示手段２４２は、各受講者が使用する電子ペン１から受信した記入情報に含まれる時刻情報（タイムスタンプ）に基づいて、１回目の切り出し時間帯内に各受講者が記入したストロークを抽出して表示させる。各受講者で切り出し時間帯内に記入したストローク数やストローク長などが異なることから、切り出した範囲のサイズが異なるため、各受講者でサムネイル２０１のサイズが異なる傾向にある。また、集約処理手段２４は、切り出し時間帯リスト８９のボタン８９Ａ、８９Ｂのうち、操作者によって選択されたボタン８９Ａを強調表示させる。具体的には、集約処理手段２４は、ボタン８９Ａに赤色などを付して表示する。
【００８０】
更に、集約処理手段２４は、操作者によって選択された受講者（つまりストロークを拡大表示している受講者）に対応するユーザ選択リスト６９の箇所を強調表示させる。具体的には、集約処理手段２４は、操作者によって選択された受講者（図１３に示す例では「太郎」）に対応するユーザ選択リスト６９の番号を、赤色などの枠９９で囲って表示させる。
【００８１】
他方で、ストローク表示手段２４２は、操作者のマウス操作などによりサムネイル２０１のいずれか１つが選択された場合に、既に拡大表示されている拡大画像２００を縮小表示させると共に、操作者によって選択されたサムネイル２０１を拡大表示させる。つまり、ストローク表示手段２４２は、既に拡大表示されている拡大画像２００をサムネイル２０１として一覧表示させると共に、操作者によって選択されたサムネイル２０１を拡大画像２００として表示させる。言い換えると、既に拡大表示されている拡大画像２００と、操作者によって選択されたサムネイル２０１とを入れ替える。
【００８２】
また、図１３に示すように、各受講者のユーザ色（分類）情報表示欄６９１に、色が付されて表示されていると共に、各受講者のキーワード表示欄６９３に、キーワードを示す文字が表示されている。具体的には、受講者「太郎」は黄色が付されると共に「数列」といったキーワードが表示され、受講者「次郎」は黄色が付されると共に「数列」といったキーワードが表示され、受講者「三郎」は青色が付されると共に「三角形」といったキーワードが表示され、受講者「四郎」は赤色が付されると共に「台形」といったキーワードが表示され、受講者「五郎」は黄色が付されると共に「数列」といったキーワードが表示されている。操作者は、受講者の解答の考え方（解き方）をカテゴリー分けして、それぞれに色及びキーワードを割り当て、各受講者ごとに色分類ボタン７１〜７６のうちの所望のボタンを選択すると共に、入力手段２１のキーボードを用いて各受講者ごとにキーワード表示欄６９３にキーワードを入力する。そして、集約処理手段２４は、各受講者のユーザ色（分類）情報表示欄６９１を、操作者によって指定された色で表示させると共に、各受講者のキーワード表示欄６９３に、操作者によって入力されたキーワードを表示させる。図１３に示す例では、操作者は、数列を用いた解答の考え方に黄色を割り当てる共に「数列」といったキーワードを割り当て、三角形の面積を用いた解答の考え方に青色を割り当てる共に「三角形」といったキーワードを割り当て、台形の面積に基づいた解答の考え方に赤色を割り当てる共に「台形」といったキーワードを割り当てている。
【００８３】
なお、ストローク表示手段２４２は、一覧表示させるサムネイル２０１がユーザストローク情報表示領域５０に収まらない場合には、横スクロールバー５１を有効とし、操作者のマウス操作によってユーザストローク情報表示領域５０をスクロールして、サムネイル２０１を複数回に分けて表示できるようにする。また、ストローク表示手段２４２は、切り出し時間帯内に受講者によって複数枚の解答用紙５にストロークが記入された場合には、複数枚の解答用紙５に記入されたストロークを、複数のページに渡って並べて表示する。１つの例では、ストローク表示手段２４２は、複数のページが重なり合うようにページを表示する。他の例では、ストローク表示手段２４２は、複数のページが重ならないように左右又は上下に並べてページを表示する。
【００８４】
［比較一覧表示機能］
次に、図１４を参照して、比較一覧表示ボタン５４が選択された場合の比較一覧表示機能について説明する。
【００８５】
図１４は、比較一覧表示ボタン５４が選択された場合に表示される描画アプリケーションウィンドウの比較一覧表示の一例を示す。図１４に示すように、ストローク表示手段２４２は、操作者によって比較一覧表示ボタン５４が選択された場合に、ユーザストローク情報表示領域５０に、各受講者によって記入されたストロークを縮小表示したサムネイル２０２Ａ〜２０２Ｅ（２０２）を同時に並べて一覧表示させる。この場合、ストローク表示手段２４２は、同じ縮尺にて、各受講者によって記入されたストロークに対応するサムネイル２０２を表示させる。また、ストローク表示手段２４２は、図１３と同様に、操作者によって選択された１回目の切り出し時間帯内に各受講者によって記入されたストロークを切り出して表示させる。
【００８６】
なお、図１４に示す例でも、図１３と同様に、各受講者のユーザ色（分類）情報表示欄６９１に色が表示されていると共に、各受講者のキーワード表示欄６９３に、キーワードを示す文字が表示されている。
【００８７】
［処理フロー］
次に、図１５及び図１６を参照して、第１実施形態において集約装置２が行う処理フローについて説明する。
【００８８】
図１５は、切り出し時間帯の選択に基づいて選択ユーザ表示又は比較一覧表示を行うために実行されるフローチャートである。まず、集約処理手段２４の切り出し時間帯設定手段２４１が、操作者によって切り出し時間帯が選択されたか否かを判定する（ステップＳ１０１）。具体的には、切り出し時間帯設定手段２４１は、操作者によって切り出し時間帯リスト８９から切り出し時間帯が選択されたか否かを判定する。
【００８９】
ストローク表示手段２４２が、操作者によって切り出し時間帯が選択されたと判定した場合（ステップＳ１０１：Ｙｅｓ）、各受講者が使用する電子ペン１より受信した記入情報から、操作者が選択した回（１回目、２回目など）に設定された切り出し時間帯内に生成された記入情報を抽出する（ステップＳ１０２）。具体的には、各電子ペン１から受信した記入情報に含まれる時刻情報（タイムスタンプ）に基づいて、操作者によって選択された切り出し時間帯内に生成された記入情報を抽出する。そして、ストローク表示手段２４２は、ステップＳ１０２で抽出した記入情報によりストロークを生成する（ステップＳ１０３）。一方で、切り出し時間帯設定手段２４１が、操作者によって切り出し時間帯が選択されていないと判定した場合（ステップＳ１０１：Ｎｏ）、上記のような記入情報の抽出を行うことなく、各受講者が使用する電子ペン１より受信した記入情報からストロークを生成する（ステップＳ１０４）
【００９０】
次に、ストローク表示手段２４２は、選択ユーザ表示及び比較一覧表示のいずれを行うかを判定する（ステップＳ１０５）。具体的には、ストローク表示手段２４２は、操作者によって選択ユーザ表示ボタン５３及び比較一覧表示ボタン５４のいずれが選択されたかを判定する。
【００９１】
ストローク表示手段２４２が、選択ユーザ表示ボタン５３が選択されたと判定した場合（ステップＳ１０５：選択ユーザ表示）、ユーザストローク情報表示領域５０の上部エリアに、１人の受講者（操作者がユーザ選択リスト６９から選択した受講者）によって記入されたストロークを拡大表示させると共に、ユーザストローク情報表示領域５０の下部エリアに、他の受講者（操作者が選択しなかった受講者）によって記入されたストロークをサムネイル化して並べて縮小表示させる（ステップＳ１０６）。この場合、ストローク表示手段２４２は、ステップＳ１０３又はＳ１０４で生成したストロークを表示させる。
【００９２】
他方で、ストローク表示手段２４２が、比較一覧表示ボタン５４が選択されていると判定した場合（ステップＳ１０５：比較一覧表示）、各受講者によって記入されたストロークを、同じ縮尺で並べて表示させる（ステップＳ１０７）。この場合、ストローク表示手段２４２は、ステップＳ１０３又はＳ１０４で生成したストロークを表示させる。
【００９３】
なお、上記では、記入情報に含まれる時刻情報（タイムスタンプ）に基づいて、切り出し時間帯内に生成された記入情報を抽出する例を示したが、これに限定はされない。他の例では、時刻情報（タイムスタンプ）の代わりに、集約装置２及び／又は転送装置３が電子ペン１から記入情報を受信した時刻に基づいて、切り出し時間帯内に生成された記入情報を抽出することができる。この例では、電子ペン１から記入情報を受信した時刻として、集約装置２内及び／又は転送装置３内のクロックの時刻を用い、そのような時刻を、電子ペン１から受信した記入情報に関連付けることで、記入情報が切り出し時間帯内に生成されたものであるかの判断を行うことができる。
【００９４】
図１６は、選択ユーザ表示において行われる処理を示すフローチャートである。まず、ストローク表示手段２４２は、操作者のマウス操作等によって、下部エリアに表示されたサムネイル２０１のいずれか１つが選択されたことを検知する（ステップＳ２０１）。そして、ストローク表示手段２４２は、上部エリアに既に表示されている拡大画像２００を縮小表示させると共に、操作者によって選択されたサムネイル２０１を上部エリアに拡大表示させる（ステップＳ２０２）。つまり、ストローク表示手段２４２は、既に拡大表示されている拡大画像２００をサムネイル２０１として一覧表示させると共に、操作者によって選択されたサムネイル２０１を拡大画像２００として表示させる。言い換えると、既に拡大表示されている拡大画像２００と、操作者によって選択されたサムネイル２０１とを入れ替える。
【００９５】
［第１実施形態による作用効果］
以上説明した第１実施形態によれば、切り出し時間帯設定手段２４１は、操作者による開始ボタン３０１及び終了ボタン３０２の選択によって、複数回の切り出し時間帯の設定を行うことができる。また、ストローク表示手段２４２は、複数回設定した切り出し時間帯の中で、操作者によって選択された回に設定された切り出し時間帯内に記入されたストロークを、適切に表示させることができる。これにより、操作者は、受講者に問題を解かせる時間帯を複数回設定することができ（例えば複数の問題の各々を解かせる時間帯を設定することができ）、各々の時間帯に記入された解答を、選択によって個別に表示させることができる。
【００９６】
＜第２実施形態＞
次に、本発明の第２実施形態について説明する。第１実施形態では、集約装置２に表示された画面（切り出し時間帯設定画面）を用いて切り出し時間帯を設定していたが、第２実施形態では、切り出し時間帯設定画面の代わりに、ドットパターンが印刷された切り出し時間帯設定用紙（設定用紙）を用いて切り出し時間帯を設定する。具体的には、切り出し時間帯設定用紙には、切り出し時間帯を設定するための開始エリアと終了エリアとが設けられており、集約処理手段２４の切り出し時間帯設定手段２４１は、電子ペン１によって開始エリアに記入された時刻から、電子ペン１によって終了エリアに記入された時刻までの時間帯を、切り出し時間帯として設定する。より具体的には、切り出し時間帯設定用紙には、複数回の切り出し時間帯を設定するための開始エリアと終了エリアとが設けられており、切り出し時間帯設定手段２４１は、電子ペン１によって記入された回について切り出し時間帯を設定する。
【００９７】
なお、以下では、第１実施形態と同様の構成要素や機能や処理などについては、適宜説明を省略する。また、ここで特に説明しない構成要素や機能や処理などについては、第１実施形態と同様であるものとする。
【００９８】
図１７は、第２実施形態に係る切り出し時間帯設定用紙８を示す図である。図１７に示すように、切り出し時間帯設定用紙８には、開始エリア８０１Ａ〜８０１Ｄ（８０１）及び終了エリア８０２Ａ〜８０２Ｄ（８０２）が規定されている。開始エリア８０１Ａ〜８０１Ｄ及び終了エリア８０２Ａ〜８０２Ｄには、それぞれで座標範囲の異なるユニークなドットパターンが印刷されている。開始エリア８０１Ａ及び終了エリア８０２Ａは、１回目の切り出し時間帯を設定するためのエリアであり、開始エリア８０１Ｂ及び終了エリア８０２Ｂは、２回目の切り出し時間帯を設定するためのエリアであり、開始エリア８０１Ｃ及び終了エリア８０２Ｃは、３回目の切り出し時間帯を設定するためのエリアであり、開始エリア８０１Ｄ及び終了エリア８０２Ｄは、４回目の切り出し時間帯を設定するためのエリアである。また、開始エリア８０１及び終了エリア８０２のそれぞれには、赤外域に吸収性を持たないインキなどによって、破線で楕円が印刷されている。なお、集約装置２の記憶手段２５は、切り出し時間帯設定用紙８における開始エリア８０１及び終了エリア８０２と位置座標と回数（１回目、２回目など）とを関連付けた、切り出し時間帯設定定義情報を記憶する。
【００９９】
切り出し時間帯設定手段２４１は、操作者が使用する電子ペン１から受信した記入情報、及び記憶手段２５に記憶された切り出し時間帯設定定義情報に基づいて、操作者によって電子ペン１で開始エリア８０１に記入された時刻を切り出し時間帯の開始時刻として設定すると共に、操作者によって電子ペン１で終了エリア８０２に記入された時刻を切り出し時間帯の終了時刻として設定し、このような開始時刻から終了時刻までの時間帯を切り出し時間帯として設定する。この場合、切り出し時間帯設定手段２４１は、操作者によって電子ペン１で記入された開始エリア８０１及び終了エリア８０２に対応する回について、開始時刻、終了時刻及び切り出し時間帯を設定する。なお、切り出し時間帯設定手段２４１は、切り出し時間帯を規定する時刻として、記入情報に含まれる時刻情報（タイムスタンプ）や、集約装置２及び／又は転送装置３が電子ペン１から記入情報を受信した時刻などを用いる。
【０１００】
より詳しくは、切り出し時間帯設定手段２４１は、開始エリア８０１及び終了エリア８０２に破線で印刷された楕円をなぞるようなストロークが操作者によって電子ペン１で記入された場合にのみ、切り出し時間帯を設定する。つまり、切り出し時間帯設定手段２４１は、開始エリア８０１に破線で印刷された楕円をなぞるようなストロークが記入された場合にのみ、その記入された時刻を切り出し時間帯の開始時刻として設定し、終了エリア８０２に破線で印刷された楕円をなぞるようなストロークが記入された場合にのみ、その記入された時刻を切り出し時間帯の終了時刻として設定する。これにより、電子ペン１が開始エリア８０１や終了エリア８０２に偶然触れたような場合に、切り出し時間帯が誤って設定されてしまうことを適切に抑制することができる。
【０１０１】
なお、切り出し時間帯設定手段２４１は、第ｎ−１回までの切り出し時間帯についての開始時刻及び終了時刻を設定していない場合には、第ｎ回の開始エリア８０１に所定のストロークが記入されても、第ｎ回の切り出し時間帯について開始時刻を設定しないこととすることができる。同様に、切り出し時間帯設定手段２４１は、第ｎ−１回までの切り出し時間帯についての開始時刻及び終了時刻を設定していない場合、又は第ｎ回の切り出し時間帯についての開始時刻を設定していない場合には、第ｎ回の終了エリア８０２に所定のストロークが記入されても、第ｎ回の切り出し時間帯について終了時刻を設定しないこととすることができる。以上述べたような場合には、切り出し時間帯設定手段２４１は、例えばアラームを出力させることができる。これにより、回を飛び越して切り出し時間帯を設定してしまったり、開始時刻を設定していない状態で終了時刻を設定してしまったりすることを適切に抑制することができる。
【０１０２】
［第２実施形態による作用効果］
以上説明した第２実施形態によっても、複数回の切り出し時間帯の設定を適切に行うことができる。よって、第１実施形態と同様にして、複数回設定した切り出し時間帯の中で、操作者が選択した回の切り出し時間帯内に記入されたストロークを適切に表示させることができる。
【０１０３】
また、第２実施形態によれば、操作者は、集約装置２を操作することなく、手元にある切り出し時間帯設定用紙８に電子ペン１で記入することで、容易に切り出し時間帯を設定することができる。更に、第２実施形態によれば、操作者は、集約装置２からある程度離れた場所にいても、切り出し時間帯設定用紙８を手元に用意しておけば、手元にある切り出し時間帯設定用紙８によって切り出し時間帯を設定することができる。
【０１０４】
［第２実施形態の変形例］
上記した第２実施形態では、集約装置２に表示された切り出し時間帯設定画面を用いる代わりに、切り出し時間帯設定用紙８を用いて切り出し時間帯を設定する例を述べたが、これに限定はされない。他の例では、集約装置２に表示された切り出し時間帯設定画面を用いると共に、切り出し時間帯設定用紙８を用いて切り出し時間帯を設定することができる。つまり、切り出し時間帯設定画面と切り出し時間帯設定用紙８とを併用して、切り出し時間帯を設定しても良い。
【０１０５】
＜変形例＞
次に、上記した実施形態の変形例について説明する。なお、以下で示す変形例は適宜組み合わせて実施することができる。
【０１０６】
（変形例１）
変形例１は、第２実施形態で示した切り出し時間帯設定用紙８の他の例に関する。第２実施形態では、破線で印刷された楕円をなぞるようなストロークが記入された場合に切り出し時間帯を設定していたが（図１７参照）、変形例１では、破線で印刷された線分（直線）をなぞるようなストロークが記入された場合に切り出し時間帯を設定する。
【０１０７】
なお、以下では、上記した第１及び第２実施形態と同様の構成要素や機能や処理などについては、適宜説明を省略する。また、ここで特に説明しない構成要素や機能や処理などについては、第１及び第２実施形態と同様であるものとする。
【０１０８】
図１８は、変形例１に係る切り出し時間帯設定用紙８Ａを示す図である。図１８に示すように、切り出し時間帯設定用紙８Ａには、開始エリア８０１ＡＡ〜８０１ＡＤ（８０１Ａ）及び終了エリア８０２ＡＡ〜８０２ＡＤ（８０２Ａ）が規定されている。開始エリア８０１ＡＡ〜８０１ＡＤ及び終了エリア８０２ＡＡ〜８０２ＡＤには、それぞれで座標範囲の異なるユニークなドットパターンが印刷されている。また、開始エリア８０１Ａ及び終了エリア８０２Ａのそれぞれには、赤外域に吸収性を持たないインキなどによって、破線で線分が印刷されている。
【０１０９】
切り出し時間帯設定手段２４１は、開始エリア８０１Ａ及び終了エリア８０２Ａに破線で印刷された線分をなぞるようなストロークが操作者によって電子ペン１で記入された場合に、切り出し時間帯を設定する。具体的には、切り出し時間帯設定手段２４１は、開始エリア８０１Ａに破線で印刷された線分をなぞるようなストロークが記入された場合に、その記入された時刻を切り出し時間帯の開始時刻として設定し、終了エリア８０２Ａに破線で印刷された線分をなぞるようなストロークが記入された場合に、その記入された時刻を切り出し時間帯の終了時刻として設定し、このような開始時刻から終了時刻までの時間帯を切り出し時間帯として設定する。この場合、切り出し時間帯設定手段２４１は、操作者によって電子ペン１で記入された開始エリア８０１Ａ及び終了エリア８０２Ａに対応する回について、開始時刻、終了時刻及び切り出し時間帯を設定する。
【０１１０】
以上説明した変形例１によっても、電子ペン１が開始エリア８０１Ａや終了エリア８０２Ａに偶然触れたような場合に、切り出し時間帯が誤って設定されてしまうことを適切に抑制することができる。
【０１１１】
なお、第２実施形態及び変形例１では、操作者に楕円や線分を記入させることで切り出し時間帯を設定する例を示したが、楕円や線分以外の図形や文字などを記入させることで切り出し時間帯を設定しても良い。要は、操作者に所定長以上のストロークを記入させれば良い。
【０１１２】
（変形例２）
変形例２は、第２実施形態及び変形例１で示した切り出し時間帯設定用紙８、８Ａの他の例に関する。第２実施形態及び変形例１では、操作者によって電子ペン１で終了エリア８０２、８０２Ａに記入された時刻を、切り出し時間帯の終了時刻として設定していた。これに対して、変形例２では、切り出し時間帯設定用紙が、切り出し時間帯の長さを設定するための複数の時間が選択可能に構成されており、当該切り出し時間帯設定用紙を用いて操作者によって選択された時間が経過した時刻を、切り出し時間帯の終了時刻として設定する。
【０１１３】
なお、以下では、上記した第１及び第２実施形態と同様の構成要素や機能や処理などについては、適宜説明を省略する。また、ここで特に説明しない構成要素や機能や処理などについては、第１及び第２実施形態と同様であるものとする。
【０１１４】
図１９は、変形例２に係る切り出し時間帯設定用紙８Ｂを示す図である。図１９に示すように、切り出し時間帯設定用紙８Ｂには、切り出し時間帯の開始時刻を設定するための開始ライン８０１ＢＡ〜８０１ＢＤ（８０１Ｂ）と、切り出し時間帯の長さとして５分を設定するための終了ライン８０２ＢＡ〜８０２ＢＤ（８０２Ｂ）と、切り出し時間帯の長さとして１０分を設定するための終了ライン８０３ＢＡ〜８０３ＢＤ（８０３Ｂ）と、切り出し時間帯の長さとして１５分を設定するための終了ライン８０４ＢＡ〜８０４ＢＤ（８０４Ｂ）とが設けられている。また、切り出し時間帯設定用紙８Ｂでは、開始ライン８０１Ｂ及び終了ライン８０２Ｂ、８０３Ｂ、８０４Ｂのそれぞれの周囲に、ユニークなドットパターンが印刷されている。開始ライン８０１Ｂの周囲においてドットパターンが印刷されたエリアは、本発明における、切り出し時間帯の開始時刻を設定するための「開始エリア」に相当する。終了ライン８０２Ｂ、８０３Ｂ、８０４Ｂの周囲においてドットパターンが印刷されたエリアは、本発明における、切り出し時間帯の長さを選択するための「選択エリア」に相当する。
【０１１５】
更に、開始ライン８０１Ｂ、終了ライン８０２Ｂ、８０３Ｂ、８０４Ｂは、赤外域に吸収性を持たないインキなどによって破線の線分にて印刷されている。開始ライン８０１ＢＡ、終了ライン８０２ＢＡ、８０３ＢＡ、８０４ＢＡは、１回目の切り出し時間帯を設定するためのラインであり、開始ライン８０１ＢＢ、終了ライン８０２ＢＢ、８０３ＢＢ、８０４ＢＢは、２回目の切り出し時間帯を設定するためのラインであり、開始ライン８０１ＢＣ、終了ライン８０２ＢＣ、８０３ＢＣ、８０４ＢＣは、３回目の切り出し時間帯を設定するためのラインであり、開始ライン８０１ＢＤ、終了ライン８０２ＢＤ、８０３ＢＤ、８０４ＢＤは、４回目の切り出し時間帯を設定するためのラインである。
【０１１６】
切り出し時間帯設定手段２４１は、開始ライン８０１Ｂの破線をなぞるようなストロークが操作者によって電子ペン１で記入された際に、切り出し時間帯の開始時刻を設定する。そして、切り出し時間帯設定手段２４１は、終了ライン８０２Ｂ〜８０４Ｂのいずれかの破線をなぞるようなストロークが操作者によって電子ペン１で記入された際に、当該ストロークが記入されたラインに対応する時間を切り出し時間帯の長さとして用いて、切り出し時間帯の終了時刻を設定する。具体的には、切り出し時間帯設定手段２４１は、設定した開始時刻に対して、操作者によって選択された時間を加算することで、切り出し時間帯の終了時刻を設定する。この場合、切り出し時間帯設定手段２４１は、操作者によって電子ペン１で記入された開始ライン８０１Ｂ及び終了ライン８０２Ｂ〜８０４Ｂに対応する回について、このように開始時刻、終了時刻及び切り出し時間帯を設定する。また、切り出し時間帯設定手段２４１は、現在時刻が、上記のように設定した切り出し時間帯の終了時刻となった際に、アラームを出力される。
【０１１７】
以上説明した変形例２によれば、操作者は、切り出し時間帯設定用紙８Ｂを用いて時間（５分、１０分、１５分）を選択することで、切り出し時間帯を容易に設定することができる。
【０１１８】
（変形例３）
変形例３は、第２実施形態及び変形例１、２で示した切り出し時間帯設定の他の例に関する。上記した切り出し時間帯設定用紙８、８Ａ、８Ｂでは、各回（１回目、２回目、３回目…）の切り出し時間帯を設定するためのエリア又はラインが別々に設けられていたが、他の例では、切り出し時間帯設定用紙に、１回分の切り出し時間帯を設定するためのエリア又はラインのみを設ける。この例では、各回で共通の１つのエリア又はラインを用いて、各回の切り出し時間帯を設定する。
【０１１９】
上記した第２実施形態及び変形例１、２では、操作者に所定長以上のストロークを記入させることで切り出し時間帯の設定を行っていたが、他の例では、所定長以上のストロークの代わりに、操作者に所定時間以上のペンダウンを行わせることで切り出し時間帯を設定する。この例では、操作者が所定のエリアに電子ペン１をペンダウンさせた状態を所定時間以上継続した場合に、切り出し時間帯の開始時刻及び終了時刻を設定する。
【０１２０】
更に他の例では、所定長以上のストロークや所定時間以上のペンダウンの代わりに、操作者に所定回数のタップを行わせることで切り出し時間帯を設定する。この例では、操作者が所定のエリアに電子ペン１で所定回数のタップ（所定時間以内に行われたタップを用いるものとする）を行った場合に、切り出し時間帯の開始時刻及び終了時刻の設定を行う。例えば、開始時刻を設定する場合と終了時刻を設定する場合とで、操作者に行わせるタップ回数として異なる値を用いることができる。
【０１２１】
（変形例４）
変形例４は、第１実施形態で示した切り出し時間帯設定画面の他の例に関する。第１実施形態では、切り出し時間帯設定画面に開始ボタン３０１及び終了ボタン３０２を表示し、操作者によって開始ボタン３０１が選択された時刻を切り出し時間帯の開始時刻として設定すると共に、操作者によって終了ボタン３０２が選択された時刻を切り出し時間帯の終了時刻として設定し、これらの開始時刻及び終了時刻によって切り出し時間帯を設定していた。これに対して、変形例４では、操作者に切り出し時間帯設定画面上で開始時刻及び終了時刻を直接入力させ、操作者によって入力された開始時刻及び終了時刻によって切り出し時間帯を設定する。
【０１２２】
なお、以下では、上記した第１実施形態と同様の構成要素や機能や処理などについては、適宜説明を省略する。また、ここで特に説明しない構成要素や機能や処理などについては、第１実施形態と同様であるものとする。
【０１２３】
図２０は、変形例４に係る切り出し時間帯設定画面を示す図である。変形例４に係る切り出し時間帯設定画面も、切り出し時間帯設定メニュー９２Ａが選択された場合に表示されると共に、ユーザストローク情報表示領域５０に対応する領域５５に表示される。図２０に示すように、変形例４に係る切り出し時間帯設定画面には、切り出し時間帯の開始時刻を入力するための開始時刻入力欄３１１と、切り出し時間帯の終了時刻を入力するための終了時刻入力欄３１２と、操作者によって入力された開始時刻及び終了時刻を設定するための設定ボタン３１３と、操作者によって入力された開始時刻及び終了時刻を消去（クリア）するためのキャンセルボタン３１４とが表示される。操作者は、キーボードなどを用いて、開始時刻入力欄３１１に開始時刻を入力すると共に、終了時刻入力欄３１２に終了時刻を入力する。
【０１２４】
切り出し時間帯設定手段２４１は、操作者によって設定ボタン３１３が押下された場合に、開始時刻入力欄３１１に入力された開始時刻及び終了時刻入力欄３１２に入力された終了時刻を設定する。この場合、切り出し時間帯設定手段２４１は、当該開始時刻及び当該終了時刻によって切り出し時間帯を設定する。また、切り出し時間帯設定手段２４１は、このように設定された開始時刻及び終了時刻を、ユーザコントロールリスト６８内の切り出し時間帯リスト８９に表示させる。他方で、切り出し時間帯設定手段２４１は、操作者によってキャンセルボタン３１４が押下された場合、開始時刻入力欄３１１に入力された開始時刻及び終了時刻入力欄３１２に入力された終了時刻を消去する。
【０１２５】
以上説明した変形例４によれば、操作者は、切り出し時間帯設定画面を用いて時刻を直接入力することで、切り出し時間帯を設定することができる。このような変形例４は、例えば受講者に問題を解かせる時間帯（試験時間など）が予め定まっている場合などに有効である。
【０１２６】
（変形例５）
変形例５は、第１実施形態で示したストローク表示の他の例に関する。変形例５は、解答の考え方に応じて操作者が色分類ボタン７１〜７６によって分類した複数のカテゴリーごとに、ユーザストローク情報表示領域５０にストロークを表示させる点で、第１実施形態と異なる。つまり、変形例５は、色分類ボタン７１〜７６の操作によって付されたユーザ色（分類）情報が同じ受講者のストロークのみを、ユーザストローク情報表示領域５０に表示させるものである。具体的には、変形例５では、集約処理手段２４のストローク表示手段２４２は、ユーザ色（分類）情報を操作者に選択させるためのボタンを表示させ、当該ボタンによって選択されたユーザ色（分類）情報が設定された受講者のストロークを表示させる。
【０１２７】
なお、以下では、上記した第１実施形態と同様の構成要素や機能や処理などについては、適宜説明を省略する。また、ここで特に説明しない構成要素や機能や処理などについては、第１実施形態と同様であるものとする（特に図１３参照）。
【０１２８】
図２１は、変形例５に係る描画アプリケーションウィンドウの一例を示す。図２１に示すように、変形例５では、集約処理手段２４は、ユーザ色（分類）情報ごとにストロークを表示させるために操作者に所望のユーザ色（分類）情報を選択させるための選択表示ボタン８５Ａ〜８５Ｆ（８５）を、ユーザコントロールリスト６８内の色分類ボタン７１〜７６の上に表示させる。選択表示ボタン８５Ａ〜８５Ｆは、各々の下に位置する色分類ボタン７１〜７６に対応するユーザ色（分類）情報が設定された受講者のストロークを表示させるためのラジオボタンである。操作者が選択表示ボタン８５Ａ〜８５Ｆのいずれかを選択した場合、ストローク表示手段２４２は、操作者によって選択された選択表示ボタン８５に対応するユーザ色（分類）情報が設定された受講者のストロークを、ユーザストローク情報表示領域５０に表示させる。
【０１２９】
図２１に示す例では、操作者は、色分類ボタン７３（ユーザ色（分類）情報を黄色に設定するためのボタン）に対応する選択表示ボタン８５Ｃを選択したものとする。この場合、ストローク表示手段２４２は、ユーザ色（分類）情報が黄色に設定された受講者「太郎」、「次郎」、「五郎」によって電子ペン１で記入されたストロークを、ユーザストローク情報表示領域５０に表示させる。具体的には、ストローク表示手段２４２は、前述した選択ユーザ表示と同様に（図１３参照）、特定の受講者（図２１に示す例では「太郎」）のストロークを拡大表示した拡大画像２０３Ａを表示させると共に、他の受講者（図２１に示す例では「次郎」、「五郎」）のストロークを縮小表示したサムネイル２０３Ｂ、２０３Ｅを一覧表示させる。また、ストローク表示手段２４２は、操作者によって選択された１回目の切り出し時間帯内に各受講者によって記入されたストロークを切り出して表示させる。
【０１３０】
以上説明した変形例５によれば、操作者は、選択表示ボタン８５を用いて選択することで、所望のユーザ色（分類）情報が設定された受講者のストロークのみを表示させることができる。
【０１３１】
（変形例６）
上記した実施形態では、電子ペン、ドットパターン（コード化パターン）、記入情報に、アノト方式を用いていたが、アノト方式を用いることに限定はされない。
【符号の説明】
【０１３２】
１（１Ａ〜１Ｅ）…電子ペン
２…集約装置
３…転送装置
４…プロジェクタ
５（５Ａ〜５Ｅ）…解答用紙
６…スクリーン
８…切り出し時間帯設定用紙
１０…電子ペンシステム
２０…範囲指定手段
２１…入力手段
２２…集約個別受信手段
２３…集約転送受信手段
２４…集約処理手段
２５…記憶手段
２６…表示手段
２７…送信手段
【図１】
2013025682.tif 000003
【図２】
2013025682.tif 000004
【図３】
2013025682.tif 000005
【図４】
2013025682.tif 000006
【図５】
2013025682.tif 000007
【図６】
2013025682.tif 000008
【図７】
2013025682.tif 000009
【図８】
2013025682.tif 000010
【図９】
2013025682.tif 000011
【図１０】
2013025682.tif 000012
【図１１】
2013025682.tif 000013
【図１２】
2013025682.tif 000014
【図１３】
2013025682.tif 000015
【図１４】
2013025682.tif 000016
【図１５】
2013025682.tif 000017
【図１６】
2013025682.tif 000018
【図１７】
2013025682.tif 000019
【図１８】
2013025682.tif 000020
【図１９】
2013025682.tif 000021
【図２０】
2013025682.tif 000022
【図２１】
2013025682.tif 000023